(57)【特許請求の範囲】
【請求項１】
被験者の生体信号を検出する検出手段と、
前記生体信号に基づいた生体情報について、属性を判断する判断手段と、
前記属性に格納される日時に関する情報を付加して記憶領域に格納する格納手段と、
連続した日付を表す第１の軸と、前記第１の軸に直交し、且つ１日のうちの時刻を表す第２の軸により表現される領域において、前記属性に付加されている前記日時に関する情報により示される日時に対応する位置に、当該属性を配置して得られるグラフを表示するための信号を生成する生成手段とを備える、生体情報測定装置。
【請求項２】
前記第２の軸は、１日のうちの時刻を３時間間隔で表す目盛を有する、請求項１に記載の生体情報測定装置。
【請求項３】
前記判断手段で用いられるしきい値を記憶する記憶手段をさらに備え、
前記判断手段は、前記生体情報と前記しきい値とを比較することで、前記生体情報について属性を判断する、請求項１または２に記載の生体情報測定装置。
【請求項４】
前記生体情報は心電波形であり、
前記判断手段は、前記心電波形について、不整脈の種類に基づく属性を判断する、請求項３に記載の生体情報測定装置。
【請求項５】
前記格納手段は、前記属性に関連付けて、前記生体信号に基づいた生体情報を前記記憶領域に格納し、
前記グラフに示される前記属性を選択する選択手段をさらに備え、
前記生成手段は、前記選択手段で選択された前記属性に関連付けて前記記憶領域に格納された前記生体情報を表示するための信号を生成する、請求項１または２に記載の生体情報測定装置。
【請求項６】
生体情報測定装置で得られた生体情報に基づく情報を、記憶領域とＣＰＵとを備えるコンピュータを用いてディスプレイに表示する生体情報表示方法であって、
前記ＣＰＵが、格納される日時に関する情報が付加されている、前記生体情報の属性を、前記記憶領域から取得する取得ステップと、
前記ＣＰＵが、連続した日付を表す第１の軸と、前記第１の軸に直交し、且つ１日のうちの時刻を表す第２の軸により表現される領域において、前記属性に付加されている前記日時に関する情報により示される日時に対応する位置に、当該属性を配置して得られるグラフを表示するための信号を生成する信号生成ステップとを備える、生体情報表示方法。
【請求項７】
前記ＣＰＵが、表示させる期間の指定を受付ける受付けステップをさらに備え、
前記取得ステップにおいて、前記ＣＰＵは、付加されている日時に関する情報が前記受付けステップにおいて受付けられた前記指定による前記期間内である生体情報の属性を取得する、請求項６に記載の生体情報表示方法。
【請求項８】
前記生体情報は心電波形であり、
前記属性は、不整脈の種類に基づく属性である、請求項６に記載の生体情報表示方法。
【請求項９】
生体情報測定装置で得られた生体情報に基づく情報を、コンピュータを用いてディスプレイに表示させるための表示プログラムであって、前記表示プログラムは、前記コンピュータに、
格納される日時に関する情報が付加されている、前記生体情報の属性を、記憶領域から取得するステップと、
連続した日付を表す第１の軸と、前記第１の軸に直交し、且つ１日のうちの時刻を表す第２の軸により表現される領域において、前記属性に付加されている前記日時に関する情報により示される日時に対応する位置に、当該属性を配置して得られるグラフを前記ディスプレイに表示するための信号を生成するステップとを実行させる、表示プログラム。
【発明の詳細な説明】
【技術分野】
【０００１】
この発明は生体情報測定装置、生体情報表示方法、および表示プログラムに関し、特に、生体情報を効率的に表示する生体情報測定装置、生体情報表示方法、および表示プログラムに関する。
【背景技術】
【０００２】
患者の生体情報を測定する装置の代表例として心電測定記憶装置（以下、心電計）や血圧測定装置（以下、血圧計）や脈波測定装置（以下、脈波計）などがある。心電計を用いて心電図を測定する検査は、病院内での１２誘導心電図検査や、２４時間記録を行なうホルター心電図検査などがある。しかし、これらの検査でも発見し難いような頻度の低い不整脈には、イベント型心電図を用いることが有用と近年、認められつつある。
【０００３】
中でも、心臓手術の後の、不整脈などの症状の再発の有無は、これまでは、患者の自覚症状のみから判断されていた。しかし、実際には自覚症状がなくとも再発がある場合がある。また手術直後ではなく、数日経ってからの再発もあることがわかってきている。そのため、これらの発見にイベント型心電図が有用であることが知られてきている。同様のことは手術後のみならず、投薬治療中の経過観察においても見られると考えられる。
【０００４】
しかしながら、実際にイベント型心電計のような携帯型心電計を用いてこのような経過観察を行なうには、２週間から１ヶ月に渡って、患者が携帯型心電計を携行して日常生活を行ない、症状を自覚した際や医師から指示されたタイミング（たとえば起床後、就寝前など）に患者自身の操作により心電図の記録を行なうことになる。このように記録された心電図データは１回では数十秒から数分程度のものであるが、患者が携行した期間中の総データ数は数百に及ぶことになる。
【０００５】
同様のことは、他の装置にも当てはまる。たとえば、血圧計や脈波計も、近年小型化され、在宅施療に用いられるようになってきている。それらは、たとえば起床後、就寝前など、医師の指示されたタイミングや所定の症状を自覚した際に用いられ、そのときの血圧や脈波が記録される。このようにして患者が携行した期間中の総データ数もまた数百に及ぶことになる。
【０００６】
患者はこのようにして測定・記録されたデータを病院に持参し、医師の診察を受ける。その診察時に、医師がこれらすべてのデータを確認すると、そのデータ数が膨大であるため、重要な症状など診察に有用なデータを抽出することが極めて困難であるという問題がある。
【０００７】
従来、このような問題に対しては、たとえば特開平５−１５４１１７号公報（以下、特許文献１）や特表２００６−５１０４５１号公報（以下、特許文献２）などが、心電図データそのものを表示するのではなく、不整脈などの異常を定量的に表現する指標（心拍数等）をトレンド表示する技術を開示している。このような表示を行なうことにより、医師が傾向を把握しやすくなる。
【特許文献１】特開平５−１５４１１７号公報
【特許文献２】特表２００６−５１０４５１号公報
【発明の開示】
【発明が解決しようとする課題】
【０００８】
しかしながら、このような従来のトレンド表示では、一軸の時系列の中での指標値の増減は把握しやすいが「毎日、早朝に異常が多い」といった傾向が掴みにくい、という問題がある。
【０００９】
本発明は、このような問題に鑑みてなされたものであって、周期的な時系列を２つの軸で表現して生体情報を効率的に表示することで、医師が患者の生体情報の経過推移と周期の中での傾向とを即時に概観できるような生体情報測定装置、生体情報表示方法、および表示プログラムを提供することを目的としている。
【課題を解決するための手段】
【００１０】
上記目的を達成するために、本発明のある局面に従うと、生体情報測定装置は、被験者の生体信号を検出する検出手段と、生体信号に基づいた生体情報について、属性を判断する判断手段と、属性に格納される日時に関する情報を付加して記憶領域に格納する格納手段と、周期的な時系列のうちの周期内の時系列を表わす第１の軸、および周期の連続による時系列を表わす第２の軸に表現される領域に、属性を配置して得られるグラフを表示するための信号を生成する生成手段とを備える。
【００１１】
好ましくは、生体情報測定装置は、判断手段で用いられるしきい値を記憶する記憶手段をさらに備え、判断手段は、生体情報としきい値とを比較することで、生体情報について属性を判断する。
【００１２】
より好ましくは、生体情報は心電波形であり、判断手段は、心電波形について、不整脈の種類に基づく属性を判断する。
【００１３】
好ましくは、格納手段は、属性に関連付けて、生体信号に基づいた生体情報を記憶領域に格納し、生体情報測定装置は、グラフに示される属性を選択する選択手段をさらに備え、生成手段は、選択手段で選択された属性に関連付けて記憶領域に格納された生体情報を表示するための信号を生成する。
【００１４】
好ましくは、生体情報測定装置は、第１の軸および第２の軸のうちの少なくとも一方の軸を設定する設定手段をさらに備える。
【００１５】
本発明の他の局面に従うと、生体情報表示方法は、生体情報測定装置で得られた生体情報に基づく情報を表示する方法であって、格納される日時に関する情報が付加されている、生体情報の属性を、記憶領域から取得するステップと、周期的な時系列のうちの周期内の時系列を表わす第１の軸、および周期の連続による時系列を表わす第２の軸に表現される領域に、属性を配置して得られるグラフを表示するための信号を生成するステップとを備える。
【００１６】
好ましくは、生体情報表示方法は、表示させる期間の指定を受付けるステップをさらに備え、属性を取得するステップは、付加されている日時に関する情報が指定された上記期間内である生体情報の属性を取得する。
【００１７】
好ましくは、生体情報表示方法は、被験者の生体信号を検出するステップと、生体信号に基づいた生体情報について、属性を判断するステップと、属性に格納される日時に関する情報を付加して記憶領域に格納するステップとをさらに備える。
【００１８】
好ましくは、生体情報は心電波形であり、属性は、不整脈の種類に基づく属性である。
本発明のさらに他の局面に従うと、表示プログラムは、生体情報測定装置で得られた生体情報に基づく情報を、コンピュータに表示させるためのプログラムであって、格納される日時に関する情報が付加されている、生体情報の属性を、記憶領域から取得するステップと、周期的な時系列のうちの周期内の時系列を表わす第１の軸、および周期の連続による時系列を表わす第２の軸に表現される領域に、属性を配置して得られるグラフを表示するための信号を生成するステップとを実行させる。
【発明の効果】
【００１９】
この発明によると、生体情報測定装置において測定された測定結果のデータ数が多くなった場合であっても、医師等、表示を確認するものが、当該期間の患者の状態変化および傾向を視覚的に容易に確認することができる。このことより、医師等が手術後の再発の確認や、投薬の効果の度合いの確認を行なうことができる。さらに、周期的な異常の傾向（たとえば、毎日早朝に異常が起こる）を容易に把握することができる。このことより、治療の中で、より注意すべき時間帯を把握することができる。また、より有効的な治療方法を選択することができる。
【発明を実施するための最良の形態】
【００２０】
以下に、図面を参照しつつ、本発明の実施の形態について説明する。以下の説明では、同一の部品および構成要素には同一の符号を付してある。それらの名称および機能も同じである。
【００２１】
［第１の実施の形態］
（携帯型心電計の外観構成）
図１および図２は、第１の実施の形態にかかる生体情報測定装置の代表例であって、携帯型測定装置の代表例である、携帯型心電計１００の概略斜視図である。携帯型心電計１００は、主としてイベント型心電図検査に使用される携帯可能な心電計であり、被験者自身の操作によって生体情報の代表例である心電波形を測定する。
【００２２】
図１および図２を参照して、本実施の形態にかかる携帯型心電計１００は、携帯性に優れたものとなるように、片手で保持することが可能な大きさおよび重さにまで小型軽量化されている。携帯型心電計１００は、扁平かつ細長の略直方体形状の外形を有する装置本体１１０を備えており、その外表面に表示部、操作部および測定電極などが配置されている。
【００２３】
装置本体１１０の正面１１１の長手方向（図中矢印Ａ方向）の一方端側には、測定開始を指示するための測定ボタン１４２が設けられており、他方端側には、表示部１４８が設けられている。この表示部１４８は、たとえば液晶ディスプレイなどによって構成され、測定結果や被験者の状態値を入力するための画面などを表示する。測定結果は、たとえば図１に示すように心電波形や数値データとして表示される。
【００２４】
装置本体１１０の上面１１３の所定位置には、電源ボタン１４１が配置されている。電源ボタン１４１は、携帯型心電計１００のＯＮ／ＯＦＦを操作する操作ボタンである。また、装置本体１１０に含まれる不揮発性メモリ１５５ｃ（図５）が着脱可能であり、装置本体１１０に不揮発性メモリ１５５ｃが装着されるスロットが設けられる。不揮発性メモリ１５５ｃとしては、たとえばＳＤ（Secure Digital）カードなどが挙げられる。装置本体１１０の上面１１３の所定位置には、蓋体である開閉カバー１３０が設けられている。この開閉カバー１３０は、上記スロットを閉状態において覆い隠すように設けられたものであり、装置本体１１０に対して開閉自在に取付けられている。
【００２５】
装置本体１１０の下面１１４の所定位置には、各種の操作ボタンが配置されている。図示する携帯型心電計１００においては、メニューボタン１４３、決定ボタン１４４、左スクロールボタン１４５、および右スクロールボタン１４６が配置されている。ここで、メニューボタン１４３は、携帯型心電計１００の各種メニューを表示するための操作ボタンであり、決定ボタン１４４は、メニューや各操作を実行するために用いる操作ボタンである。そして左スクロールボタン１４５および右スクロールボタン１４６は、表示部１４８に表示される測定結果のグラフやガイド情報等をスクロールして表示させるための操作ボタンである。
【００２６】
装置本体１１０の長手方向の一方端に位置する右側面１１５には、一対の測定電極のうちの一方の電極である負電極１２１と、身体の電位変化の基準となる電位を導出するための不関電極１２３とが配置されている。この右側面１１５は、後述する測定姿勢を被験者がとった際に被験者の右手の人差し指がフィットするように滑らかに湾曲した形状となっている。さらに、この右側面１１５には、上下方向に向かって延びる凹部１１５ａが形成されている。この凹部１１５ａは、被験者の右手の人差し指を受入れる形状となっている。
【００２７】
上述の負電極１２１および不関電極１２３は、導電性部材にて形成されている。また、負電極１２１および不関電極１２３は、右側面１１５に設けられた凹部１１５ａ内において、その表面が装置本体１１０の外表面に露出した状態となるように配置されている。なお、負電極１２１は、右側面１１５の上面１１３寄りに位置しており、不関電極１２３は、右側面１１５の下面１１４寄りに位置している。
【００２８】
装置本体１１０の長手方向の他方端に位置する左側面１１６には、一対の測定電極のうちの他方の電極である正電極１２２が配置されている。
【００２９】
（携帯型心電計による測定）
図３は、本実施の形態にかかる携帯型心電計１００を用いた被験者の測定姿勢を示す斜視図である。図４は、図３に示す測定姿勢を上方から見た図である。
【００３０】
図３および図４を参照して、被験者３００は、携帯型心電計１００の装置本体１１０の一方端寄りを右手３１０で把持しつつ、装置本体１１０の他方端に位置する左側面１１６に設けられた正電極１２２（図２）を胸部３５０の左側下部に位置する第５肋間前腋窩線上の皮膚に直接接触させる。そして、右手３１０の親指３１１にて装置本体１１０の正面１１１に設けられた測定ボタン１４２（図１，図２）を押下する。そして、この状態を数十秒程度維持しつつ心電波形を測定する。
【００３１】
このような測定姿勢をとることにより、携帯型心電計１００の装置本体１１０の右側面１１５に位置する負電極１２１および不関電極１２３が被験者３００の右手３１０の人差し指３１２に接触し、装置本体１１０の左側面１１６に位置する正電極１２２が被験者３００の胸部３５０に接触した状態となる。これにより、負電極１２１に接触した右手３１０、胸部３５０に非接触の前腕３２０、同じく胸部３５０に非接触の上腕３３０および右肩３４０を介して正電極１２２が取付けられた胸部３５０の順で被験者の身体に測定回路が構成されるようになる。
【００３２】
このように、負電極１２１、正電極１２２および不関電極１２３が被験者３００の身体の一部から電気信号である生体信号を検出する。
【００３３】
（携帯型心電計の機能構成）
図５は、本発明の実施の形態にかかる携帯型心電計１００の機能構成を示す機能ブロック図である。
【００３４】
図５を参照して、携帯型心電計１００は、負電極１２１、正電極１２２、不関電極１２３から構成される電極部１２０と、電源ボタン１４１、測定ボタン１４２、メニューボタン１４３、決定ボタン１４４、左スクロールボタン１４５、右スクロールボタン１４６を含んで構成される操作部１４０と、表示部１４８と、電源１６０と、処理回路１５０とを備える。
【００３５】
処理回路１５０は、電極部１２０によって検出される生体信号（電気信号）を増幅するアンプ回路１５１と、ノイズ成分を除去するフィルタ回路１５２と、アナログ信号をデジタル信号に変換するＡ／Ｄ（Analog to Digital）コンバータ１５３と、演算処理部であるＣＰＵ（Central Processing Unit）１５４と、メモリ１５５とを含む。メモリ１５５は、ＲＯＭ（Read Only Memory）１５５ａと、ＲＡＭ（Random Access Memory）１５５ｂと、不揮発性メモリ１５５ｃとを含む。なお、上述したように不揮発性メモリ１５５ｃは、スロット（図示しない）に対して着脱可能に構成される。
【００３６】
電極部１２０によって検出される生体信号（電気信号）は、アンプ回路１５１によって増幅された後、フィルタ回路１５２でノイズ成分が除去され、さらにＡ／Ｄコンバータ１５３によって心電波形データ（デジタル信号）に変換される。ＣＰＵ１５４は、このＡ／Ｄコンバータ１５３によって変換された心電波形データを不揮発性メモリ１５５ｃへ格納する。また、ＣＰＵ１５４は、操作部１４０に含まれる各種操作ボタンからの指令信号を受信し、受信した指令信号に応じた処理を実行するとともに、表示部１４８への表示制御を行なう。
【００３７】
さらに、ＣＰＵ１５４は、判別部１５４ａと、付加部１５４ｂと、表示処理部１５４ｃとをその機能として含む。なお、これらの機能は、代表的に、予めＲＯＭ１５５ａに格納されたプログラムがＣＰＵ１５４によってＲＡＭ１５５ｂに読み出されて実行されることで実現される。
【００３８】
判別部１５４ａは、Ａ／Ｄコンバータ１５３から出力される心電波形データに対して解析処理を実行し、心電波形データの種別情報を判別する。判別部１５４ａは、この判別結果を付加部１５４ｂへ出力する。付加部１５４ｂは、判別部１５４ａからの種別情報と、ＣＰＵ１５４に含まれる計時部（不図示）から得られる記録日時を示す情報とを含む属性情報を、心電波形データから得られるデータである測定結果１８０に付加し、不揮発性メモリ１５５ｃに格納する。不揮発性メモリ１５５ｃに格納される測定結果のデータ構造は後述する。
【００３９】
表示処理部１５４ｃは、操作部１４０からの操作信号に従って不揮発性メモリ１５５ｃに格納された、属性情報が付加された心電波形データのうち、該当する心電波形データを読出し、表示部１４８に表示するための処理を行なう。なお、表示処理部１５４ｃとして機能するＣＰＵ１５４での表示処理のための機能構成については後述する。
【００４０】
さらに、ＣＰＵ１５４は、その内部にタイマ（図示せず）を含み、現在時刻を取得する。タイマの時刻設定は、ＣＰＵ１５４からの制御信号によって行なわれるものとする。
【００４１】
（測定処理手順）
図６は、本実施の形態にかかる携帯型心電計１００における心電波形の測定処理を示すフローチャートである。
【００４２】
図６を参照して、まず、ＣＰＵ１５４は、測定ボタン１４２（図１，図２）の押下により心電波形の測定開始の指示が入力されると、被験者の心電波形の測定を開始する（ステップＳ１００）。より具体的には、アンプ回路１５１が電極部１２０によって検出された電気信号を増幅し、増幅された電気信号に対してフィルタ回路１５２がノイズの除去を行なう。そして、Ａ／Ｄコンバータ１５３がノイズの除去後の電気信号（アナログ信号）をデジタル信号に変換する。ＣＰＵ１５４は、Ａ／Ｄコンバータ１５３において変換されたデジタル信号を取得し、表示部１４８にリアルタイム表示するとともに、ＲＡＭ１５５ｂに一時的に格納する。
【００４３】
このような処理が、たとえばタイマ（図示せず）などにより規定時間の間継続的に実行される（ステップＳ１０２）。
【００４４】
図７は、本実施の形態にかかる携帯型心電計１００の表示部１４８における測定中の表示例を示す図である。
【００４５】
図７を参照して、表示部１４８には、測定された心電波形１６１が所定時間分だけ表示されるとともに、測定の進行によって右または左にスクロールして新たに測定された心電波形に随時更新される。また、心電波形１６１と同一画面上に、６０拍／分を意味する「６０ｂｐｍ」と示された単位時間当たりの心拍数データ１６２が表示されている。なお、測定中に表示する項目はこれに限られず、他の情報を表示するようにしてもよい。
【００４６】
再度、図６を参照して、判別部１５４ａとして機能するＣＰＵ１５４は、ＲＡＭ１５５ｂに格納した心電波形データに対して解析処理を実行し、心電波形データの種別情報を判別する（ステップＳ１０８）。より具体的には、判別部１５４ａとして機能するＣＰＵ１５４は、ＲＡＭ１５５ｂに格納した心電波形データに現れる特徴的な時間変化を抽出することで心電波形データの種別情報を判別する。
【００４７】
図８（Ａ）および図８（Ｂ）は、本実施の形態にかかる携帯型心電計１００における心電波形データの種別情報の判別処理を説明するための図である。図８（Ａ）は、電極部１２０によって検出される生体信号（電気信号）の波形を示し、図８（Ｂ）は、図８（Ａ）に示す生体信号をフィルタ処理した後の波形を示す。
【００４８】
図８（Ａ）および図８（Ｂ）を参照して、判別部１５４ａとして機能するＣＰＵ１５４は、図８（Ａ）に示すような電極部１２０によって検出される生体信号に対して、一種の低域通過フィルタ（ＬＰＦ）に相当するフィルタ処理を行なって、低周波成分を抽出する。すると、図８（Ｂ）に示すような時間波形が得られる。さらに、ＣＰＵ１５４は、図８（Ｂ）に示す時間波形のうち、所定のしきい値レベルＴｈを超える成分を「Ｒ波」成分として抽出する。このように、判別部１５４ａとして機能するＣＰＵ１５４は、電極部１２０によって検出される生体信号に現れる特徴的な時間変化を抽出する。
【００４９】
さらに、ＣＰＵ１５４は、このＲ波成分に基づいて、たとえば不整脈を検出するための処理を行なう。不整脈の種類としては、たとえば「徐脈」、「頻脈」、「上室性期外収縮」、および「心室性期外収縮」などがある。ここでは、ＣＰＵ１５４は、正常な心電波形を表わす「正常洞調律」とともに、「徐脈」、「頻脈」、「上室性期外収縮」、および「心室性期外収縮」の５種類の種別情報を判別するものとする。なお、種別情報はこれらに限られず、他の項目を追加してもよい。
【００５０】
ここで、上記５項目の種別について簡単に説明する。一般的に、「徐脈」とは、心拍数が１分間に５０回以下であることをいい、「頻脈」とは、心拍数が１分間に１００回以上あることをいう。この「徐脈」または「頻脈」は、図８（Ｂ）に示すＲ波の波間隔１８０に基づいて判別される。「上室性期外収縮」とは、Ｒ波間隔が不規則であることをいい、たとえばＲ波のリズムが崩れたり、１拍抜けたりすることをいう。この「上室性期外収縮」は、図８（Ｂ）に示すＲ波の波間隔１８０に基づいて判別される。「心室性期外収縮」は、「ＶＰＣ（Ventricular Premature Contraction）」とも称され、心臓の心室から発生した異所性興奮をいう。この「心室性期外収縮」は、図８（Ｂ）に示すＲ波ピークを形成する三角形の幅（ＱＲＳ幅）１８４の大きさに基づいて判別される。これらの不整脈を判別する処理は、テンプレートマッチングを利用して行なわれてもよい。具体的には、予めこれらの不整脈の種別の基準となる波形を表わしたテンプレートを記憶しておいて、該テンプレートと測定された心電波形とをマッチングすることによって判別することができる。
【００５１】
判別部１５４ａとして機能するＣＰＵ１５４は、上述のような種別情報の判別処理によって、心電波形の各測定に対して種別情報を判別する。
【００５２】
再度、図６を参照して、ステップＳ１０８での心電波形データの種別情報を取得すると、付加部１５４ｂとして機能するＣＰＵ１５４は、これらの情報を属性情報として、ＲＡＭ１５５ｂに格納した心電波形データに対して付加（ステップＳ１１０）した上で、不揮発性メモリ１５５ｃに格納する（ステップＳ１１２）。より具体的には、この属性情報は、ヘッダ情報として心電波形データに付加される。そして、携帯型心電計１００における心電波形の測定処理は終了する。
【００５３】
図９は、不揮発性メモリ１５５ｃに格納される測定結果１８０のデータ構造の具体例を示す図である。
【００５４】
図９を参照して、不揮発性メモリ１５５ｃに格納される測定結果１８０の各々は、一例として、「ＩＤ情報」、「記録日時」、「種別情報」、「波形データ」の４つのフィールド２８１〜２８４を含む。各フィールドの内容について概略すると、「ＩＤ情報」フィールド２８１は、各心電波形データを特定するための識別番号などを格納し、「記録日時」フィールド２８２は、各心電波形データの測定開始日時や測定期間などの情報を格納する。「種別情報」フィールド２８３は、判別部１５４ａでの判別処理によって判別された種別情報を格納する。また、携帯型心電計１００が、たとえば操作部１４０に測定者を指定するためのボタンを備えるなどして、被験者を特定して心電測定を行なう構成である場合、付加部１５４ｂとして機能する１５４は、測定結果に、被験者を特定するための識別番号を付加してもよい。この場合、上記ＩＤ情報フィールド２８１には、被験者を特定するための識別番号も格納される。
【００５５】
なお、図９に示された例では、測定結果１８０として波形データが含まれているものとするが、必ずしも波形データは含まれていなくてもよく、少なくとも、「記録日時」および「種別情報」が含まれていればよい。
【００５６】
（表示処理のための機能構成）
図１０は、表示処理部１５４ｃとして機能するＣＰＵ１５４で、図９のように格納されている測定結果を表示する処理を行なうための機能構成を示す機能ブロック図である。
【００５７】
図１０を参照して、表示処理部１５４ｃとして機能するＣＰＵ１５４は、抽出部１７１と、配置部１７２と、軸設定部１７３と、表示データ生成部１７４とをその機能として含む。
【００５８】
抽出部１７１は、表示させる測定結果の期間を入力可能な入力画面（不図示）を表示部１４８に表示させる。表示データ生成部１７４は予め入力画面を表示するための表示データを記憶しておき、抽出部１７１は、入力画面を表示させるための制御信号を表示データ生成部１７４へ出力する。抽出部１７１は、その入力画面に沿った入力に伴う操作信号を操作部１４０から受取り、その操作信号に従って表示させる測定結果の期間を特定する。そして、操作部１４０は、不揮発性メモリ１５５ｃに格納された測定結果の中から、特定された期間内の測定結果を抽出する。より具体的には、抽出部１７１は、不揮発性メモリ１５５ｃに格納された測定結果１８０の中から、特定された期間に含まれる日時が記録日時フィールド２８２（図９）に格納されている測定結果を抽出する。なお、その際、抽出部１７１は所定の抽出条件を用いて、上記期間内の測定結果であって、波形データフィールド２８４に格納されている波形データが抽出条件を満足している測定結果を抽出するようにしてもよい。抽出条件としては、たとえば体動などの影響を排するために設けられた振幅の上限値や下限値などが該当する。抽出条件は、予め抽出部１７１に記憶されているものとする。または、所定の操作によって抽出部１７１に登録あるいは変更することができてもよい。そして、抽出部１７１は、その抽出した測定結果を、配置部１７２へ出力する。
【００５９】
軸設定部１７３は、測定結果をグラフ表示する際の、縦軸および横軸とするパラメータを設定する。ここで、好ましくは、軸設定部１７３は、周期的な時系列のうち、周期内の時系列を一方の軸に、その周期の連続による時系列を他方の軸に設定する。具体的には、一方の軸として縦軸に時刻（０時〜２４時）を設定し、他方の軸として横軸に日（１日〜１０日）を設定することが好ましい。他の例として、縦軸に曜日（日曜〜土曜）、横軸に週（第１週〜第４週）を設定することや、縦軸に月（１月〜１２月）、横軸に年（第１年〜第１０年）を設定すること、などが挙げられる。縦軸および横軸とするパラメータは、予め軸設定部１７３に記憶されていてもよい。または、軸設定部１７３は、縦軸および横軸とするパラメータ（または少なくとも一方の軸とするパラメータであってもよい）を入力可能な入力画面（不図示）を表示部１４８に表示させてもよい。この場合、表示データ生成部１７４が予め入力画面を表示するための表示データを記憶しておき、軸設定部１７３は、入力画面を表示させるための制御信号を表示データ生成部１７４へ出力する。軸設定部１７３は、その入力画面に沿った入力に伴う操作信号を操作部１４０から受取り、その操作信号に従って縦軸および横軸とするパラメータを設定（または変更）する。
【００６０】
配置部１７２は、軸設定部１７３で設定された縦軸および横軸とするパラメータと、抽出部１７１から入力された測定結果とを用いて、測定結果をグラフ表示するための信号を生成する。具体的には、各測定結果について、測定結果１８０の種別情報フィールド２８３に格納されている種別情報を示すマークを、上記パラメータに従った縦軸および横軸で表現されるグラフの記録日時フィールド２８２に格納されている記録日時に対応する位置に配置するための処理を行なう。ここで、種別情報を示すマークとしては、たとえば、「正常洞調律」、「徐脈」、「頻脈」、「上室性期外収縮」、および「心室性期外収縮」の各々に対して「Ａ」、「Ｂ」、「Ｃ」、「Ｄ」、および「Ｅ」などのマークの対応関係を予め記憶しておく。そして、配置部１７２は、この処理の結果を示す信号を表示データ生成部１７４へ出力する。言うまでもなく、マークは上記「Ａ」〜「Ｅ」に限定されず、少なくとも１つの種別情報を他の種別情報と異ならせる表示であればよい。たとえば、すべて同じ形状であって色が異なるマークでもよいし、大きさの異なるマークであってもよいし、異なる動きを伴ったマーク（アニメーション）であってもよい。また、上述の種別である「正常洞調律」、「徐脈」、「頻脈」、「上室性期外収縮」、および「心室性期外収縮」は、心疾患の重症度が異なる。そのため、重症度の低いものから順に「Ａ」〜「Ｅ」とマークを割当ててもよいし、重症度が一目でわかるようなマークを割当ててもよい。重症度に基づいた表示を行なうことで、測定結果のグラフ表示を患者自身などの医師（専門家）以外が見る場合であっても、患者の状態変化および傾向を視覚的に容易に確認することができる。そのため、患者自身でも周期的な異常の傾向を容易に把握することができ、適切な対応（防止策）を採ることができる。
【００６１】
表示データ生成部１７４は、配置部１７２から入力された信号に基づいて表示データを生成し、表示部１４８に表示するための処理を行なう。ここでの処理は特定の処理に限定されず、通常の表示処理を採用することができる。
【００６２】
（表示処理手順）
図１１は、本実施の形態にかかる携帯型心電計１００における測定結果の表示処理を示すフローチャートである。
【００６３】
図１１を参照して、まず、抽出部１７１として機能するＣＰＵ１５４は、表示させる測定結果の期間を入力可能な入力画面を表示部１４８に表示させる（ステップＳ２００）。そして、ＣＰＵ１５４は、ユーザが上記入力画面を介して設定する期間を示す操作信号を操作部１４０から受取り（ステップＳ２０２）、操作信号に基づいて期間を特定する。
【００６４】
続いて、抽出部１７１として機能するＣＰＵ１５４は、不揮発性メモリ１５５ｃに格納された測定結果の中から、特定された期間内の測定結果を抽出する（ステップＳ２０４）。
【００６５】
続いて、軸設定部１７３として機能するＣＰＵ１５４は、少なくとも一方の軸とするパラメータを入力可能な入力画面を表示部１４８に表示させる（ステップＳ２０６）。そして、ＣＰＵ１５４は、ユーザが入力画面を介して入力する、軸とするパラメータを受取り（ステップＳ２０８）、このパラメータを用いて縦軸および横軸を設定する（ステップＳ２０８）。
【００６６】
抽出部１７１として機能するＣＰＵ１５４は、ステップＳ２０４で抽出した測定結果に基づいて、測定結果に含まれる種別情報を示すマークを、ステップＳ２０８で設定された縦軸および横軸で表現されるグラフの、その測定結果に含まれる記録日時に対応する位置に配置し、その配置した結果を示す信号を生成する（ステップＳ２１０）。
【００６７】
表示データ生成部１７４として機能するＣＰＵ１５４は、ステップＳ２１０で生成された信号に基づいて、測定結果を表示させるための表示データを生成し、表示部１４８に表示する（ステップＳ２１２）。
【００６８】
図１２は、表示部１４８に表示される測定結果画面の表示例を示す図である。
図１２を参照して、ＣＰＵ１５４は、一例として、縦軸を時刻、および横軸を日としたグラフ領域に、各測定結果の種別情報を示すマーク「Ａ」〜「Ｅ」をプロットしたグラフ１９０を表示する。また、上述のように、種別情報に替えて、重症度を示すマーク「Ａ」〜「Ｅ」をプロットしたグラフを表示してもよい。
【００６９】
第１の実施の形態にかかる携帯型心電計１００で上記処理が行なわれることで、携帯型心電計１００において、測定された心電波形の種別が、周期的な時系列のうち、周期内の時系列を一方の軸、その周期の連続による時系列を他方の軸としたグラフにプロットされて、効率的に表示される。そのため、たとえ、携帯型心電計１００での測定結果が数百におよぶ場合であっても、それらが効率的に表示されるために、医師や被験者自身等、表示を確認するものは、当該期間の被験者の状態変化および傾向を視覚的に容易に確認することができる。これにより、医師や被験者自身等が手術後の再発の確認や、投薬の効果の度合いの確認を行なうことができる。さらに、周期的な異常の傾向（たとえば、毎日早朝に異常が起こる）を容易に把握することができる。表示を確認するものが医師等の施療する者である場合には、このことより、治療の中で、より注意すべき時間帯を把握することができる。また、より有効的な治療方法を選択することができる。また、表示を確認するものが被験者自身である場合には、このことより、自身の傾向に応じて、重症に至らないような対策を採ることができる。
【００７０】
［第２の実施の形態］
（生体波形表示システムの構成）
図１３は、第２の実施の形態にかかる生体情報表示システムの代表例である心電波形表示システムＳＹＳの概略構成図である。
【００７１】
図１３を参照して、心電波形表示システムＳＹＳは、携帯型心電計１００と、表示装置２００とを備える。携帯型心電計１００は、第１の実施の形態において説明された動作によって心電波形を測定する。携帯型心電計１００の測定で得られた上述の測定結果は、一例として携帯型心電計１００に着脱可能な不揮発性メモリ１５５ｃに格納されるとともに、この不揮発性メモリ１５５ｃは表示装置２００に装着されて、携帯型心電計１００での測定結果が表示装置２００に転送される。
【００７２】
なお、携帯型心電計１００から表示装置２００への測定結果の転送は不揮発性メモリ１５５ｃ等の記録を介した転送に限定されず、その他の転送方法であってもよい。具体的には、たとえば携帯型心電計１００が、専用回線を介して情報を他の装置との間でやり取りする通信機能を備える場合、携帯型心電計１００と表示装置２００とを上記専用回線（たとえばＵＳＢ（Universal Serial Bus）ケーブル等）で接続することで、携帯型心電計１００から表示装置２００へ上記専用回線を介して測定結果が転送されてもよい。同様に、赤外線通信などの無線通信を行なうことで、携帯型心電計１００から表示装置２００へ測定結果が転送されてもよい。
【００７３】
表示装置２００は、不揮発性メモリ１５５ｃに格納された測定結果を受入れて、その測定結果に基づいてモニタ部２２０にグラフ表示を行なう。
【００７４】
携帯型心電計１００の外観および構成は、図１および図２を用いて説明されたものと同様であり、機能構成は図５を用いて説明されたものと同様である。また、携帯型心電計１００を用いた心電波形の測定方法は図３および図４を用いて説明されたものと同様である。なお、ＣＰＵ１５４に含まれるタイマ（図示せず）の時刻設定は、ＣＰＵ１５４からの制御信号では行なわれない構成であることが好ましい。より好ましくは、ＣＰＵ１５４に含まれるタイマの時刻設定は、表示装置２００から上記通信を介して入力される制御信号に従って行なわれる。携帯型心電計１００においては、図６に示された測定処理が行なわれて、図９に示されたような測定結果が不揮発性メモリ１５５ｃに格納される。または、ＣＰＵ１５４は、携帯型心電計１００と表示装置２００とがＵＳＢケーブル等の専用回線で接続されるなどして上述の通信を開始した際に、自動的に、表示装置２００のタイマと同期するようにタイマの時刻を設定するようにしてもよい。このようにすることで、携帯型心電計１００で記録される測定結果の時刻情報の信頼性を確保することができる。
【００７５】
なお、第２の実施の形態においては、携帯型心電計１００の、付加部１５４ｂとして機能するＣＰＵ１５４は、測定結果に、属性情報として、当該携帯型心電計１００自身を特定するための識別情報も付加する。当該携帯型心電計１００自身を特定するための識別情報は、予めＲＯＭ１５５ａの所定領域に記憶されており、付加部１５４ｂとして機能するＣＰＵ１５４が測定結果に属性情報を付加する際に上記所定領域より読出し、付加する。そのため、第２の実施の形態においては、不揮発性メモリ１５５ｃに格納される測定結果１８０のＩＤ情報フィールド２８１には、当該携帯型心電計１００自身を特定するための識別情報も格納される。
【００７６】
（表示装置の機能構成）
図１３を参照して、表示装置２００は、代表的にコンピュータによって構成され、ＦＤ（Flexible Disk）駆動装置２１４およびＣＤ−ＲＯＭ（Compact Disk-Read Only Memory)駆動装置２１５を備えたコンピュータ本体２１０と、キーボード２３０と、マウス２４０とをさらに含む。
【００７７】
図１４は、本実施の形態にかかる表示装置２００を構成するコンピュータのハードウェア構成を示す概略構成図である。
【００７８】
図１４を参照して、コンピュータ本体２１０は、図１３に示すＦＤ駆動装置２１４およびＣＤ−ＲＯＭ駆動装置２１５に加えて、相互にバスで接続された、演算装置であるＣＰＵ（Central Processing Unit）２１１と、メモリ２１２と、記憶装置である固定ディスク２１３と、インタフェイス部２１６とを含む。
【００７９】
ＦＤ駆動装置２１４にはＦＤ２１４ａが装着され、ＣＤ−ＲＯＭ駆動装置２１５にはＣＤ−ＲＯＭ２１５ａが装着される。表示装置２００は、ＣＰＵ２１１がメモリ２１２などのコンピュータハードウェアを用いて、ソフトウェアを実行することで実現される。一般的に、このようなソフトウェアは、ＦＤ２１４ａやＣＤ−ＲＯＭ２１５ａなどの記録媒体に格納されて、またはネットワークなどを介して流通する。そして、このようなソフトウェアは、ＦＤ駆動装置２１４やＣＤ−ＲＯＭ駆動装置２１５などにより記録媒体から読取られて、または通信インタフェイス（図示しない）にて受信されて、固定ディスク２１３に格納される。さらに、固定ディスク２１３からメモリ２１２に読出されて、ＣＰＵ２１１により実行される。
【００８０】
モニタ部２２０は、ＣＰＵ２１１が出力する生体波形などの情報を表示するための表示部であって、一例としてＬＣＤ（Liquid Crystal Display）やＣＲＴ（Cathode Ray Tube）などから構成される。マウス２４０は、クリックやスライドなどの動作に応じたユーザ（代表的に、医師などの診断実施者）からの指令を受付ける。キーボード２３０は、入力されるキーに応じたユーザから指令を受付ける。ＣＰＵ２１１は、プログラムされた命令を順次実行することで、各種の演算を実施する演算処理部である。メモリ２１２は、ＣＰＵ２１１のプログラム実行に応じて各種の情報を記憶する。インタフェイス部２１６は、携帯型心電計１００のメモリ１５５から属性情報が付加された測定結果を受取るための部位であり、本実施の形態においては不揮発性メモリ１５５ｃを装着可能なスロットおよびそのスロットを制御する周辺回路などから構成される。なお、不揮発性メモリ１５５ｃを装着可能なスロットに替えて、携帯型心電計１００とデータ通信可能な通信インタフェイス部として構成してもよい。固定ディスク２１３は、ＣＰＵ２１１が実行するプログラムや、携帯型心電計１００のメモリ１５５から受取った属性情報が付加された心電波形データを格納する不揮発性の記憶装置である。また、表示装置２００には、必要に応じてプリンタなどの他の出力装置が接続されてもよい。
【００８１】
（表示装置の機能構成）
図１５は、本発明の実施の形態にかかる表示装置２００の機能構成を示す機能ブロック図である。
【００８２】
図１５を参照して、表示装置２００のＣＰＵ２１１は、抽出部２１１ａと、配置部２１１ｂと、軸設定部２１１ｃと、表示データ生成部２１１ｄとをその機能として含む。なお、これらの機能は、各々、先に図１０を用いて説明された、第１の実施の形態にかかる携帯型心電計１００のＣＰＵ１５４に含まれる、抽出部１７１、配置部１７２、軸設定部１７３、および表示データ生成部１７４と同じ機能である。また、インタフェイス部２１６は、不揮発性メモリ１５５ｃが装着されると、不揮発性メモリ１５５ｃから、図９に示された測定結果１８０を読み出して、固定ディスク２１３に格納する。その際、好ましくは、測定データは、ＩＤ情報フィールド２８１に格納される携帯型心電計を特定するための識別情報に基づいて、携帯型心電計に対応した記憶領域に格納される。
【００８３】
（表示処理手順）
本実施の形態にかかる表示装置２００では、図１１を用いて説明された携帯型心電計１００における測定結果の表示処理と同様の表示処理が行なわれて、モニタ２２０に図１２に示される測定結果画面が表示される。
【００８４】
第２の実施の形態にかかる心電波形表示システムＳＹＳが用いられる場合としては、たとえば携帯型心電計１００を持参して医師の使用する表示装置２００で測定結果を表示させる場合などが想定される。心電波形表示システムＳＹＳにおいて上記処理が行なわれることで、携帯型心電計１００において、測定された心電波形の種別が、周期的な時系列のうち、周期内の時系列を一方の軸、その周期の連続による時系列を他方の軸としたグラフにプロットされて、表示装置２００で効率的に表示される。そのため、たとえ、携帯型心電計１００での測定結果が数百におよぶ場合であっても、それらが表示装置２００で効率的に表示されるために、表示装置２００を使用して測定結果を確認している医師等は、当該期間の被験者の状態変化および傾向を視覚的に容易に確認することができる。これにより、医師や被験者自身等が手術後の再発の確認や、投薬の効果の度合いの確認を行なうことができる。さらに、周期的な異常の傾向（たとえば、毎日早朝に異常が起こる）を容易に把握することができる。表示を確認するものが医師等の施療する者である場合には、このことより、治療の中で、より注意すべき時間帯を把握することができる。また、より有効的な治療方法を選択することができる。また、表示を確認するものが被験者自身である場合には、このことより、自身の傾向に応じて、重症に至らないような対策を採ることができる。
【００８５】
［変形例］
変形例として、第２の実施の形態にかかる表示装置２００において、さらに、マウス２４０またはキーボード２３０によって、測定結果画面に表示されたマークを選択する操作（たとえばダブルクリックする操作）を受付けると、心電波形を表示するための表示処理が行なわれる。
【００８６】
変形例においては、抽出部２１１ａとして機能するＣＰＵ２１１は、マウス２４０またはキーボード２３０から入力される操作信号に基づいて選択された測定結果を特定し、その測定結果の波形データフィールド２８４に格納されている波形データを表示データ生成部２１１ｄに渡す。表示データ生成部２１１ｄとして機能するＣＰＵ２１１は、予め波形データ表示用の縦軸および横軸を記憶しておき、抽出部２１１ａから入力された波形データを、モニタ２２０に表示するための処理を行なう。
【００８７】
図１６は、モニタ２２０に表示される測定結果画面の表示例を示す図である。たとえば図１２に示される測定結果画面において、図１６の丸印で示されたマーク「Ｂ」がダブルクリックされるなどして選択された場合、上述の処理が実行されて、マーク「Ｂ」に対応する測定結果の波形データフィールド２８４に格納されている波形データが図１６に示されるように表示される。図１６の例では、マークをプロットしたグラフ（図１２）の上に選択されたマークに対応した波形データがポップアップで表示される例を示しているが、波形データの表示形態は、図１６に示される形態に限定されず、たとえば波形データのみ表示する画面に切り替わってもよい。
【００８８】
上記変形例は、第２の実施の形態にかかる表示装置２００において行なわれる表示処理を説明したものであるが、第１の実施の形態にかかる携帯型心電計１００の操作において、図１２に示されたグラフにプロットされているマークを選択し決定する構成である場合には、言うまでもなく、第１の実施の形態にかかる携帯型心電計１００において同様の表示処理が行なわれてもよい。
【００８９】
このような構成にすることで、所定期間の測定結果を視覚的に容易に確認しつつ、必要な測定結果については、詳細な情報（波形データ）を確認することができる。
【００９０】
なお、以上の具体例においては、携帯型測定装置が携帯型心電計である場合について述べているが、血圧測定装置や脈波測定装置等の、他の生体情報を測定する装置であっても同様に構成することで、同様の表示を行なうことができる。
【００９１】
さらに、上述の携帯型心電計１００または表示装置２００などでの表示処理をコンピュータに実行させるための表示プログラムを提供することもできる。このようなプログラムは、コンピュータに付属するＦＤ（Flexible Disk）、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９２】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９４】
提供されるプログラム製品は、ハードディスクなどのプログラム格納部にインストールされて実行される。なお、プログラム製品は、プログラム自体と、プログラムが記録された記録媒体とを含む。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９６】
【図１】本実施の形態にかかる携帯型心電計の概略斜視図である。
【図２】本実施の形態にかかる携帯型心電計の概略斜視図である。
【図３】本実施の形態にかかる携帯型心電計を用いた被験者の測定姿勢を示す斜視図である。
【図４】図３に示す測定姿勢を上方から見た図である。
【図５】本発明の実施の形態にかかる携帯型心電計の機能構成を示す機能ブロック図である。
【図６】本実施の形態にかかる携帯型心電計における心電波形の測定処理を示すフローチャートである。
【図７】本実施の形態にかかる携帯型心電計の、測定中の表示例を示す図である。
【図８】本実施の形態にかかる携帯型心電計における心電波形データの種別情報の判別処理を説明するための図である。
【図９】不揮発性メモリに格納される測定結果のデータ構造の具体例を示す図である。
【図１０】表示処理部として機能するＣＰＵで、図９のように格納されている測定結果を表示する処理を行なうための機能構成を示す機能ブロック図である。
【図１１】本実施の形態にかかる携帯型心電計における測定結果の表示処理を示すフローチャートである。
【図１２】表示部に表示される測定結果画面の表示例を示す図である。
【図１３】第２の実施の形態にかかる生体情報表示システムの代表例である心電波形表示システムＳＹＳの概略構成図である。
【図１４】本実施の形態にかかる表示装置を構成するコンピュータのハードウェア構成を示す概略構成図である。
【図１５】本発明の実施の形態にかかる表示装置の機能構成を示す機能ブロック図である。
【図１６】モニタに表示される測定結果画面の表示例を示す図である。
【符号の説明】
【００９７】
１００  携帯型心電計、１１０  装置本体、１１１  正面、１１３  上面、１１４  下面、１１５  右側面、１１５ａ  凹部、１１６  左側面、１２０  電極部、１２１  負電極、１２２  正電極、１２３  不関電極、１３０  開閉カバー、１４０  操作部、１４１  電源ボタン、１４２  測定ボタン、１４３  メニューボタン、１４４  決定ボタン、１４５  左スクロールボタン、１４６  右スクロールボタン、１４８  表示部、１５０  処理回路、１５１  アンプ回路、１５２  フィルタ回路、１５３  コンバータ、１５４ａ  判別部、１５４ｂ  付加部、１５４ｃ  表示処理部、１５５  メモリ、１５５ａ  ＲＯＭ、１５５ｂ  ＲＡＭ、１５５ｃ  不揮発性メモリ、１６０  電源、１６１  心電波形、１６２  心拍数データ、１７１  抽出部、１７２  配置部、１７３  軸設定部、１７４  表示データ生成部、１８０  測定結果、２００  表示装置、２１０  コンピュータ本体、２１１  ＣＰＵ、２１１ａ  抽出部、２１１ｂ  配置部、２１１ｃ  軸設定部、２１１ｄ  表示データ生成部、２１２  メモリ、２１３  固定ディスク、２１４  ＦＤ駆動装置、２１４ａ  ＦＤ、２１５  ＣＤ−ＲＯＭ駆動装置、２１５ａ  ＣＤ−ＲＯＭ、２１６  インタフェイス部、２２０  モニタ部、２３０  キーボード、２４０  マウス、２８１〜２８４  フィールド、３００  被験者、３１０  右手、３１１  親指、３１２  人差し指、３２０  前腕、３３０  上腕、３４０  右肩、３５０  胸部、ＳＹＳ  心電波形表示システム。
【図１】
0005200444.tif 000002
【図２】
0005200444.tif 000003
【図３】
0005200444.tif 000004
【図４】
0005200444.tif 000005
【図５】
0005200444.tif 000006
【図６】
0005200444.tif 000007
【図７】
0005200444.tif 000008
【図８】
0005200444.tif 000009
【図９】
0005200444.tif 000010
【図１０】
0005200444.tif 000011
【図１１】
0005200444.tif 000012
【図１２】
0005200444.tif 000013
【図１３】
0005200444.tif 000014
【図１４】
0005200444.tif 000015
【図１５】
0005200444.tif 000016
【図１６】
0005200444.tif 000017